Podtech/llm-jp-corpus-v4-ja_patent huggingface dataset:
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて遊技内容を判断する遊技判断手段と、
前記遊技判断手段による遊技内容の判断結果に基づいて、遊技者に特典が付与されるボーナスゲームを実行する特典付与手段と、
前記遊技判断手段による遊技内容の判断結果に基づいて、リプレイ役の高い当選確率によって遊技媒体の消費を抑制しつつ前記役抽選手段による抽選が実行可能とされる有利遊技状態に秘密裏に移行制御する状態制御手段と、
所定の表示面にて演出表示を行う演出表示制御手段と、を備え、
前記演出表示制御手段は、
前記役抽選手段による抽選にて、前記有利遊技状態に秘密裏に移行制御される契機となる特定の当選役が当選されたことを契機に、前記有利遊技状態への前記秘密裏での移行制御が遊技者に暴露される秘密開示を行う旨決定可能な内部決定処理と、
前記特定の当選役が当選されて以降の所定期間にあるとき、前記所定の表示面のうちの前記秘密開示が行われる領域に対しての遊技者による特定の行為があったことを契機に、前記秘密開示を行う旨決定可能な謝意的決定処理と
を実行可能であり、それら決定処理の少なくとも一方にて前記秘密開示を行う旨決定されたことに基づいて前記秘密開示を行う完告内外制御手段、及び
前記役抽選手段により前記特定の当選役が当選された状況にあるにもかかわらず前記完告内外制御手段による前記内部決定処理が実行されないようにすることによって、前記内部決定処理と前記謝意的決定処理とのうちの前記謝意的決定処理によってのみ前記秘密開示を行う旨決定可能とされる期間を創出する支援優遇制御手段
を有しており、
前記完告内外制御手段は、
前記秘密開示が行われる領域に対しての遊技者による特定の行為が行われる頻度を算出する頻度算出手段を有し、該頻度算出手段により算出される前記特定の行為の頻度の高低に基づいて、前記謝意的決定処理の実行にかかる制御態様を変化させる
ことを特徴とする遊技機。
【請求項２】
前記演出表示制御手段は、液晶表示装置の表示面にて演出表示を行う
請求項１に記載の遊技機。
【請求項３】
前記演出表示制御手段は、キャラクタ画像による演出表示を行う
請求項２に記載の遊技機。
【手続補正２】
【補正対象書類名】明細書
【補正対象項目名】０００９
【補正方法】変更
【補正の内容】
【０００９】
こうした目的を達成するため、請求項１に記載の発明では、複数の図柄が回転表示される図柄表示手段と、前記図柄表示手段における図柄の回転表示を開始させるスタート操作手段と、前記スタート操作手段の操作に基づいて当選役についての抽選を行う役抽選手段と、前記役抽選手段による抽選の結果に基づいて前記回転表示の停止にかかる制御を行う回転停止制御手段と、前記回転表示が停止されたときの前記図柄の表示態様に基づいて遊技内容を判断する遊技判断手段と、前記遊技判断手段による遊技内容の判断結果に基づいて、遊技者に特典が付与されるボーナスゲームを実行する特典付与手段と、前記遊技判断手段による遊技内容の判断結果に基づいて、リプレイ役の高い当選確率によって遊技媒体の消費を抑制しつつ前記役抽選手段による抽選が実行可能とされる有利遊技状態に秘密裏に移行制御する状態制御手段と、所定の表示面にて演出表示を行う演出表示制御手段と、を備え、前記演出表示制御手段は、前記役抽選手段による抽選にて、前記有利遊技状態に秘密裏に移行制御される契機となる特定の当選役が当選されたことを契機に、前記有利遊技状態への前記秘密裏での移行制御が遊技者に暴露される秘密開示を行う旨決定可能な内部決定処理と、前記特定の当選役が当選されて以降の所定期間にあるとき、前記所定の表示面のうちの前記秘密開示が行われる領域に対しての遊技者による特定の（支援）行為があったことを契機に、前記秘密開示を行う旨決定可能な謝意的決定処理とを実行可能であり、それら決定処理の少なくとも一方にて前記秘密開示を行う旨決定されたことに基づいて前記秘密開示を行う完告内外制御手段、及び前記役抽選手段により前記特定の当選役が当選された状況にあるにもかかわらず前記完告内外制御手段による前記内部決定処理の実行を先送りすることによって、前記内部決定処理と前記謝意的決定処理とのうちの前記謝意的決定処理によってのみ前記秘密開示を行う旨決定可能とされる期間を創出する支援優遇制御手段を有しており、前記完告内外制御手段は、前記秘密開示が行われる領域に対しての遊技者による特定の（支援）行為が行われる頻度を算出する頻度算出手段を有し、該頻度算出手段により算出される前記特定の（支援）行為の頻度の高低に基づいて、前記謝意的決定処理の実行にかかる制御態様を変化させることを要旨とする。
【手続補正書】
【提出日】平成23年4月12日(2011.4.12)
【手続補正１】
【補正対象書類名】特許請求の範囲
【補正対象項目名】請求項９
【補正方法】変更
【補正の内容】
【請求項９】
前記上腕支持台は、前記腕帯の前記巻取り機構からの引き出しを不能とするロック機構をさらに含んでいる、請求項１から８のいずれかに記載の血圧計用カフ。
【手続補正２】
【補正対象書類名】特許請求の範囲
【補正対象項目名】請求項１０
【補正方法】変更
【補正の内容】
【請求項１０】
前記ロック機構は、前記係止部による前記腕帯の係止に連動して作動し、前記係止部によって前記腕帯が係止された状態においてのみ前記腕帯の前記巻取り機構からの引き出しを不能とする、請求項９に記載の血圧計用カフ。
【手続補正３】
【補正対象書類名】明細書
【補正対象項目名】００１８
【補正方法】変更
【補正の内容】
【００１８】
上記本発明に基づく血圧計用カフにあっては、上記上腕支持台が、上記腕帯の上記巻取り機構からの引き出しを不能とするロック機構をさらに含んでいることが好ましい。
【手続補正４】
【補正対象書類名】明細書
【補正対象項目名】００１９
【補正方法】変更
【補正の内容】
【００１９】
上記本発明に基づく血圧計用カフにあっては、上記ロック機構が上記係止部による上記腕帯の係止に連動して作動していることが好ましく、その場合に、上記係止部によって上記腕帯が係止された状態においてのみ上記腕帯の上記巻取り機構からの引き出しが不能となるように構成されていることが好ましい。
【手続補正５】
【補正対象書類名】明細書
【補正対象項目名】００４７
【補正方法】変更
【補正の内容】
【００４７】
ケース体３１の腕帯引き出し口３１ｄが設けられた右側面には、腕帯引き出し口３１ｄに並行してガイド部３４が上腕支持面３１ａよりも上方に向けて突出するように設けられている。ガイド部３４は、湾曲した板状の部材にて構成されており、その上端部の所定位置には、切り欠きが設けられることによって引っ掛け部３４ａが設けられている。ガイド部３４は、腕帯引き出し口３１ｄから引き出された部分の腕帯４０を起立させた状態（すなわち腕帯４０の上記他方端４１ａ側の部分が上方に向けて延びた状態）とするための支持枠である。より詳細には、腕帯引き出し口３１ｄから引き出された部分の腕帯４０は、腕帯４０に接続された部分のエア管７０をガイド部３４の引っ掛け部３４ａに引っ掛けることにより、起立した状態をとることになる。
【手続補正６】
【補正対象書類名】明細書
【補正対象項目名】００７０
【補正方法】変更
【補正の内容】
【００７０】
１  血圧計、１０  本体、１１  制御部、１２  メモリ部、１４  表示部、１６  操作部、１８  電源部、２０  カフ、３０  上腕支持台、３１  ケース体、３１Ａ  ケース、３１Ｂ  蓋、３１ａ  上腕支持面、３１ｄ  腕帯引き出し口、３１ｃ１  軸部、３１ｃ  切り欠き部、３２  台座部、３２ｂ  脚部、３３  肘置き台、３３ａ  肘載置面、３３ｂ  脚部、３３ｃ  連結部、３４  ガイド部、３４ａ  引っ掛け部、３５  スライド部材、３５ａ  ラッチ部、３５ａ１  ガイド溝、３６  フック、３７  ロック部材、３７ａ  ロック部、３７ｂ  ピン、３８  支軸、４０  腕帯、４１  袋状カバー、４１ａ  他方端、４１ｂ  一方端、４２  穴、４５  空気袋、４６  膨縮空間、５０  巻取りローラ、５１  シャフト、５１ａ  突出部、５２  固定部材、５３  発条バネ、５３ａ  内側端部、５３ｂ  外側端部、５４  キャップ、５５  歯付突出部、５６  キャップ、６０  エア系コンポーネント、６１  加圧ポンプ、６２  排気弁、６３  圧力センサ、６４  加圧ポンプ駆動回路、６５  排気弁駆動回路、６６  増幅器、６７  Ａ／Ｄ変換回路、７０  エア管、１００  上腕、１０１  肘、２００  載置面。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
２つのバンドを相互に重ね合わせて着脱自在に連結される部位において、一方のバンドに遊嵌状態で装着される環状の遊嵌部材を備え、
前記他方のバンドの先端部を遊嵌部材に挿入して、遊嵌部材の内周側に突設するように形成された係合突起と、他方のバンドに形成された係止孔とを係合することによって、２つのバンドを相互に重ね合わせて着脱自在に連結するように構成したバンドの連結構造であって、
前記遊嵌部材の外周側において、遊嵌部材の内周側に形成された係合突起に対応する位置に、係合突起の位置を視認できるようにした位置合わせ部を形成したことを特徴とするバンドの連結構造。
【請求項２】
前記位置合わせ部が、遊嵌部材の外周側の係合突起に対応する位置に形成された指標マーク、指標突設部、または、指標凹部から構成されていることを特徴とする請求項１に記載のバンドの連結構造。
【請求項３】
前記指標突設部が、遊嵌部材の係合突起と一体的に形成されていることを特徴とする請求項２に記載のバンドの連結構造。
【請求項４】
前記指標突設部に、凹部が形成されており、この凹部に指標部材が嵌合されていることを特徴とする請求項２から３のいずれかに記載のバンドの連結構造。
【請求項５】
前記指標凹部に、指標部材が嵌合されていることを特徴とする請求項２に記載のバンドの連結構造。
【請求項６】
前記他方のバンドに形成された係止孔と、遊嵌部材の内周側に形成された係合突起とが合致する位置となるように、他方のバンドに、遊嵌部材を位置決めするバンド側位置合わせ部を形成したことを特徴とする請求項１から５のいずれかに記載のバンドの連結構造。
【請求項７】
前記バンド側位置合わせ部が、位置合わせマーク、位置合わせ突設部、または、位置合わせ凹部から構成されていることを特徴とする請求項６に記載のバンドの連結構造。
【請求項８】
前記バンド側位置合わせ部と位置合わせするための補助位置決め部が、遊嵌部材に形成されていることを特徴とする請求項６から７のいずれかに記載のバンドの連結構造。
【手続補正２】
【補正対象書類名】明細書
【補正対象項目名】００７３
【補正方法】変更
【補正の内容】
【００７３】
この実施例のバンドの連結構造１０では、図３に示した実施例と同様に、位置合わせ部３２が、遊嵌部材２４の外周側の係合突起２６に対応する位置に形成された略ボタン形状の指標突設部３６から構成されている。
また、この指標突設部３６は、図７〜図９に示したように、遊嵌部材２４の内周側に形成された係合突起２６と、遊嵌部材２４の遊嵌部材本体２４ａに形成した貫通孔２４ｂに装着した連結部３６ａを介して、一体的に形成されている。
【手続補正３】
【補正対象書類名】明細書
【補正対象項目名】００８５
【補正方法】変更
【補正の内容】
【００８５】
この場合、指標凹部４８の形状、数、配置位置などは、特に限定されるものではなく、例えば、四角柱状、三角柱状、星型形状など様々な形状、数、配置位置、色、材質の指標部材を適宜選択することができる。
例えば、指標凹部４８を、複数の指標凹部４８を離間して設けることができる。また、１つの指標凹部４８に、複数の指標部材を嵌合することもできる。
また、例えば、指標部材を、金、銀、銅、黄銅、アルミニウム、マグネシウム、亜鉛、チタン、またはこれらの合金、チタン合金、ステンレススチール、タンタルカーバイド、樹脂などを採用することができ、高級感や耐久性などを向上することができる。さらに、例えば、指標部材に、ダイヤなどの宝石、貴石などの輝石、装飾石などからなる宝飾が設けられていても良く、または、指標部材自体をこれらの宝飾から構成しても良く、さらに高級感、装飾性に優れたバンドの連結構造を提供することができる。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に入賞した遊技球を検出する入賞検出手段と、該入賞検出手段による遊技球の検出に応じて所定数の遊技球を払い出す球払出手段と、を備えた遊技機であって、
前記遊技盤は、遊技者側となる前面側から見て裏面側が視認可能となる透明板部材から構成され、
前記遊技盤の裏面側には、光反射面を遊技者側に対向させて配置される光反射部材と、前記光反射面に向けて光を照射する発光手段と、が設けられ、
前記発光手段は、当該発光手段そのものを遊技者側から直接視認することが困難な位置に配置されていることを特徴とする遊技機。
【請求項２】
前記遊技機は、さらに、
前記遊技盤に穿設される貫通穴の周縁に沿った環状で不透明に形成されて前記遊技盤の前面と当接する前面環状部材と、
所定の演出画像を表示する画像表示面を有すると共に該画像表示面が遊技者側から視認可能に前記前面環状部材内に臨設して配置される演出表示手段と、
前記画像表示面の一部を前方から被覆して当該画像表示面での演出表示に合わせて遊技者側から視認可能となる演出位置と、前記画像表示面の被覆を解除する前記透明板部材の裏面に位置して当該透明板部材を透して遊技者側から視認可能となる待機位置との間で移動可能に設けられる可動装飾体と、を備え、
前記光反射部材は、前記可動装飾体の後方位置に配置されていることを特徴とする請求項１記載の遊技機。
【請求項３】
前記前面環状部材は、前記可動装飾体が前記透明板部材の裏面位置に移動した状態で、遊技者側から見て前記可動装飾体の一側壁を構成する一方、前記可動装飾体が前記画像表示面を被覆する位置に移動した状態で、遊技者側から見て前記可動装飾体の他側壁を構成する幅寸法に設定されていることを特徴とする請求項２記載の遊技機。
【手続補正２】
【補正対象書類名】明細書
【補正対象項目名】０００７
【補正方法】変更
【補正の内容】
【０００７】
（解決手段４）
解決手段１乃至解決手段３において、前記遊技機は、さらに、前記遊技盤に穿設される貫通穴の周縁に沿った環状で不透明に形成されて前記遊技盤の前面と当接する前面環状部材と、所定の演出画像を表示する画像表示面を有すると共に該画像表示面が遊技者側から視認可能に前記前面環状部材内に臨設して配置される演出表示手段と、前記画像表示面の一部を前方から被覆して当該画像表示面での演出表示に合わせて遊技者側から視認可能となる演出位置と、前記画像表示面の被覆を解除する前記透明板部材の裏面に位置して当該透明板部材を透して遊技者側から視認可能となる待機位置との間で移動可能に設けられる可動装飾体と、を備え、前記光反射部材は、前記可動装飾体の後方位置に配置されていることを特徴とする請求項１記載の遊技機。
この場合、透明板部材の裏面位置と演出表示手段の画像表示面を被覆する位置との間で移動に可動装飾体を設けることで、画像表示面での平面的な画像演出に対して機械的且つ立体的な装飾効果（造形物による三次元の視覚的興趣）を加えることができ、視覚的な興趣の低下を抑制することができる。また、このような構成とすることで、遊技領域内に画像表示面外周の装飾用占有領域（外周装飾部材の占有領域）を取り分け設けることなく、画像表示面外周の視覚的興趣の低下を抑制することができる。
また、この構成によれば、発光手段の光を遊技者側に反射する光反射部材を可動装飾体の後方位置に配置することで、可動装飾体の大きさ（具体的には、可動装飾体の奥行方向の大きさ）に拘わらず、可動装飾体の奥側から発光手段による光装飾を可能にできる。
【手続補正３】
【補正対象書類名】明細書
【補正対象項目名】０００８
【補正方法】変更
【補正の内容】
【０００８】
（解決手段５）
解決手段４において、前記前面環状部材は、前記可動装飾体が前記透明板部材の裏面位置に移動した状態で、遊技者側から見て前記可動装飾体の一側壁を構成する一方、前記可動装飾体が前記画像表示面を被覆する位置に移動した状態で、遊技者側から見て前記可動装飾体の他側壁を構成する幅寸法に設定されていることを特徴とする請求項２記載の遊技機。
この場合、遊技盤（透明板部材）と演出表示手段（画像表示面）との境界に位置する前面環状部材の幅寸法を、可動装飾体が透明板部材の裏面位置に移動した状態で遊技者側から見て可動装飾体の一側壁を構成する一方、可動装飾体が画像表示面を被覆する位置に移動した状態で遊技者側から見て可動装飾体の他側壁を構成するように設定している。言い換えれば、前面環状部材は、透明板部材と画像表示面との切れ目を隠す程度の薄い幅寸法に設定されている。従って、大型の演出表示手段を配置して遊技領域内に大型の画像表示面を臨設しても、画像表示面外周の装飾用占有領域を設ける必要がないことを考慮すれば、遊技領域内での遊技球の流下領域を極端に小さくとる必要がなくなる。しかして、遊技領域内に大型の画像表示面を臨設した構成においても、遊技領域内での遊技球の動きを単調にすることなく、且つ画像表示面外周の視覚的興趣の低下を抑制することができる。
また、この構成によれば、可動装飾体の移動位置において待機位置に移動した状態と演出位置に移動した状態とで、それぞれ前面環状部材が可動装飾体の一側壁及び他側壁を構成する。言い換えれば、可動装飾体が停止した状態では、前面環状部材が可動装飾体の前面側の装飾部分を中途半端に被覆する（例えば、前面環状部材が可動装飾体を左右に分割するように前方を被覆する等）ことがないので、違和感なく可動装飾体を遊技者に視認させることができ、ひいては造形物となる可動装飾体による三次元の視覚的興趣の低下を抑制することができる。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に入賞した遊技球を検出する入賞検出手段と、該入賞検出手段による遊技球の検出に応じて所定数の遊技球を払い出す球払出手段と、を備えた遊技機であって、
前記遊技盤は、遊技者側となる前面側から見て裏面側が視認可能となる透明板部材から構成され、
前記遊技盤に穿設される貫通穴の周縁に沿った環状で不透明に形成されて前記遊技盤の前面と当接する前面環状部材と、
所定の演出画像を表示する画像表示面を有すると共に該画像表示面が遊技者側から視認可能に前記前面環状部材内に臨設して配置される演出表示手段と、
前記画像表示面の一部を前方から被覆して当該画像表示面での演出表示に合わせて遊技者側から視認可能となる演出位置と、前記画像表示面の被覆を解除する前記透明板部材の裏面に位置して当該透明板部材を透して遊技者側から視認可能となる待機位置との間で移動可能に設けられる可動装飾体と、を備え、
前記前面環状部材は、その側端部分において前記透明板部材の板厚寸法程度の幅寸法に形成されていることを特徴とする遊技機。
【請求項２】
前記前面環状部材は、前記可動装飾体が前記透明板部材の裏面位置に移動した状態で、遊技者側から見て前記可動装飾体の一側壁を構成する一方、前記可動装飾体が前記画像表示面を被覆する位置に移動した状態で、遊技者側から見て前記可動装飾体の他側壁を構成する幅寸法に設定されていることを特徴とする請求項１記載の遊技機。
【請求項３】
前記可動装飾体は、当該可動装飾体の横幅寸法とほぼ同一の移動幅によって前記待機位置と前記演出位置との間で左右方向に移動することを特徴とする請求項１又は請求項２記載の遊技機。
【手続補正２】
【補正対象書類名】明細書
【補正対象項目名】０００５
【補正方法】変更
【補正の内容】
【０００５】
（解決手段２）
解決手段１において、前記前面環状部材は、前記可動装飾体が前記透明板部材の裏面位置に移動した状態で、遊技者側から見て前記可動装飾体の一側壁を構成する一方、前記可動装飾体が前記画像表示面を被覆する位置に移動した状態で、遊技者側から見て前記可動装飾体の他側壁を構成する幅寸法に設定されていることを特徴とする請求項１記載の遊技機。
この場合、遊技盤（透明板部材）と演出表示手段（画像表示面）との境界に位置する前面環状部材の幅寸法を、可動装飾体が透明板部材の裏面位置に移動した状態で遊技者側から見て可動装飾体の一側壁を構成する一方、可動装飾体が画像表示面を被覆する位置に移動した状態で遊技者側から見て可動装飾体の他側壁を構成するように設定している。言い換えれば、前面環状部材は、透明板部材と画像表示面との切れ目を隠す程度の薄い幅寸法に設定されている。従って、大型の演出表示手段を配置して遊技領域内に大型の画像表示面を臨設しても、画像表示面外周の装飾用占有領域を設ける必要がないことを考慮すれば、遊技領域内での遊技球の流下領域を極端に小さくとる必要がなくなる。しかして、遊技領域内に大型の画像表示面を臨設した構成においても、遊技領域内での遊技球の動きを単調にすることなく、且つ画像表示面外周の視覚的興趣の低下を抑制することができる。
また、この構成によれば、可動装飾体の移動位置において待機位置に移動した状態と演出位置に移動した状態とで、それぞれ前面環状部材が可動装飾体の一側壁及び他側壁を構成する。言い換えれば、可動装飾体が停止した状態では、前面環状部材が可動装飾体の前面側の装飾部分を中途半端に被覆する（例えば、前面環状部材が可動装飾体を左右に分割するように前方を被覆する等）ことがないので、違和感なく可動装飾体を遊技者に視認させることができ、ひいては造形物となる可動装飾体による三次元の視覚的興趣の低下を抑制することができる。
【手続補正３】
【補正対象書類名】明細書
【補正対象項目名】０００６
【補正方法】変更
【補正の内容】
【０００６】
（解決手段３）
解決手段１又は解決手段２において、前記可動装飾体は、当該可動装飾体の横幅寸法とほぼ同一の移動幅によって前記待機位置と前記演出位置との間で左右方向に移動することを特徴とする請求項１又は請求項２記載の遊技機。
この場合、可動装飾体がその横幅寸法とほぼ同一の移動幅で左右方向に移動することで、可動装飾体が停止した状態では、前面環状部材が可動装飾体の前面側の装飾部分を中途半端に被覆する（例えば、前面環状部材が可動装飾体を左右に分割するように前方を被覆する等）ことがないので、違和感なく可動装飾体を遊技者に視認させることができ、ひいては造形物となる可動装飾体による三次元の視覚的興趣の低下を抑制することができる。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
映像を生成する映像生成装置と、
前記映像生成装置から入力される映像を、ネットワークを介して映像記録配信装置に送信する映像発信装置と、
ネットワークを介して前記映像発信装置からの映像を受信する映像記録配信装置と、
表示装置が接続され、ネットワークを介して前記映像記録配信装置からの映像を受信して、前記表示装置に表示する映像受信装置と、を有し、
前記映像記録配信装置は、受信した映像に関するアラームイベントの重要度を、前記映像受信装置に通知し、
前記映像受信装置は、前記通知されたアラームイベントの重要度に基づいて受信した映像を再生して、前記表示装置に表示することを特徴とする映像配信表示システム。
【請求項２】
映像生成装置と、映像発信装置と、映像記録配信装置と、映像受信装置とを備える映像黄色く配信システムにおいて、
前記映像発信装置により映像を生成するステップと、
前記映像発信装置により前記映像を配信するステップと、
前記映像発信装置によりアラームイベントの発生を通知するステップと、
前記映像発信装置により前記アラームイベントの重要度を通知するステップと、
前記映像受信装置により受信した前記映像を前記アラームイベントの重要度に基づいて再生するステップと、
を備えることを特徴とする映像配信表示方法。
【手続補正２】
【補正対象書類名】明細書
【補正対象項目名】発明の名称
【補正方法】変更
【補正の内容】
【発明の名称】映像配信表示システムおよび映像配信表示方法
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
原稿台に沿って移動可能なスキャナを所定位置に固定し、原稿を搬送させて読み取る読み取り動作を行う読み取り動作手段と、前記所定位置とは異なる位置に設けた基準白板の位置にスキャナを移動して基準白板を読み取り、該読み取りによる基準白板のデータに基づいてシェーディング補正動作を行う制御手段と、を備える画像読み取り装置であって、
前記制御手段は、前記読み取り動作においてシートスルー型の自動原稿供給装置により連続して原稿が搬送される場合、１枚目の原稿に対して露光ランプ光量をモニタしてシェーディング補正動作を実行し、２枚目以降の原稿に対して各原稿の読み取り毎に露光ランプ光量のモニタを実行し、１枚目の原稿に対する露光ランプ光量に対する変化量が予め設定した変化量以上であったときは再度シェーディング補正動作を行わせ、
更に前記制御手段は、シェーディング補正動作非実施時には前記読み取り動作中に原稿の搬送動作を停止させるシートスルーストップ動作を行わせず、シェーディング補正動作実施時には前記シートスルーストップ動作を行わせること
を特徴とする画像読み取り装置。
【請求項２】
請求項１記載の画像読み取り装置において、
前記制御手段は、シェーディング補正動作非実施の際には、前記読み取り動作開始時に前記シートスルーストップ動作を無効に、シェーディング補正動作実施の際には、前記読み取り動作開始時に前記シートスルーストップ動作を有効に、それぞれ設定すること
を特徴とする画像読み取り装置。 
【請求項３】
請求項１記載の画像読み取り装置において、
前記制御手段は、シェーディング補正動作非実施の際には、シートスルー減速前にシートスルー開始のトリガを与え、シェーディング補正動作実施の際には、シートスルー停止後にシートスルー開始のトリガを与えること
を特徴とする画像読み取り装置。 
【請求項４】
請求項２又は３記載の画像読み取り装置において、
前記シートスルー動作の是非を切り替える切り替え手段を備えていること
を特徴とする画像読み取り装置。 
【請求項５】
請求項２又は３記載の画像読み取り装置において、
前記シートスルー動作における非停止搬送動作を禁止する手段を備えていること
を特徴とする画像読み取り装置。 
【請求項６】
請求項１ないし５のいずれか１項に記載の画像読み取り装置を備えていること
を特徴とする画像形成装置。
【手続補正２】
【補正対象書類名】明細書
【補正対象項目名】００１０
【補正方法】変更
【補正の内容】
【００１０】
前記課題を解決するため、本発明は、原稿台に沿って移動可能なスキャナを所定位置に固定し、原稿を搬送させて読み取る読み取り動作を行う読み取り動作手段と、前記所定位置とは異なる位置に設けた基準白板の位置にスキャナを移動して基準白板を読み取り、該読み取りによる基準白板のデータに基づいてシェーディング補正動作を行う制御手段と、を備える画像読み取り装置であって、前記制御手段は、前記読み取り動作においてシートスルー型の自動原稿供給装置により連続して原稿が搬送される場合、１枚目の原稿に対して露光ランプ光量をモニタしてシェーディング補正動作を実行し、２枚目以降の原稿に対して各原稿の読み取り毎に露光ランプ光量のモニタを実行し、１枚目の原稿に対する露光ランプ光量に対する変化量が予め設定した変化量以上であったときは再度シェーディング補正動作を行わせ、更に前記制御手段は、シェーディング補正動作非実施時には前記読み取り動作中に原稿の搬送動作を停止させるシートスルーストップ動作を行わせず、シェーディング補正動作実施時には前記シートスルーストップ動作を行わせることを特徴とする。
【手続補正３】
【補正対象書類名】明細書
【補正対象項目名】００１１
【補正方法】変更
【補正の内容】
【００１１】
この場合、前記制御手段は、シェーディング補正動作非実施の際には、前記読み取り動作開始時に前記シートスルーストップ動作を無効に、シェーディング補正動作実施の際には、前記読み取り動作開始時に前記シートスルーストップを有効に、それぞれ設定する。また、前記制御手段は、シェーディング補正動作非実施の際には、シートスルー減速前にシートスルー開始のトリガを与え、シェーディング補正動作実施の際には、シートスルー停止後にシートスルー開始のトリガを与えるようにすることもできる。その際、前記シートスルー動作の是非を切り替える切り替え手段を設けておくこと、及び、シートスルー動作における非停止搬送動作を禁止する手段を設けておくことが望ましい。
【手続補正書】
【提出日】平成23年5月19日(2011.5.19)
【手続補正１】
【補正対象書類名】特許請求の範囲
【補正対象項目名】請求項９
【補正方法】変更
【補正の内容】
【請求項９】
ＦＭ放送波をＦＭ検波したコンポジット信号に対して、前記コンポジット信号におけるパイロット信号の位相を反映し、互いの直交化が図られた第１信号及び第２信号を生成する直交信号生成工程と；
前記第１信号及び前記第２信号に基づいて、前記パイロット信号を反映した位相を算出する位相算出工程と；
前記位相算出工程における算出結果に基づいて、前記パイロット信号と所定関係にある基準信号を生成する基準信号生成工程と；
前記コンポジット信号における前記パイロット信号の周波数よりも高い周波数帯域の信号である副チャンネル信号に対応する信号を、前記基準信号を利用して、前記パイロット信号の周波数よりも低い周波数帯域の信号であるベースバンド副チャンネル信号に変換するベースバンド変換工程と；
を備えることを特徴とするＦＭ受信処理方法。
【手続補正２】
【補正対象書類名】明細書
【補正対象項目名】００１０
【補正方法】変更
【補正の内容】
【００１０】
請求項９に記載の発明は、ＦＭ放送波をＦＭ検波したコンポジット信号に対して、前記コンポジット信号におけるパイロット信号の位相を反映し、互いの直交化が図られた第１信号及び第２信号を生成する直交信号生成工程と；前記第１信号及び前記第２信号に基づいて、前記パイロット信号を反映した位相を算出する位相算出工程と；前記位相算出工程における算出結果に基づいて、前記パイロット信号と所定関係にある基準信号を生成する基準信号生成工程と；前記コンポジット信号における前記パイロット信号の周波数よりも高い周波数帯域の信号である副チャンネル信号に対応する信号を、前記基準信号を利用して、前記パイロット信号の周波数よりも低い周波数帯域の信号であるベースバンド副チャンネル信号に変換するベースバンド変換工程と；を備えることを特徴とするＦＭ受信処理方法である。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
圃場に生育する植物を外部から覆うカバーと、該カバーの内部に温湯を噴霧する噴霧手段とから成る植物の熱ショック処理装置。
【請求項２】
前記温湯の温度と圧力を制御する温湯発生装置を備えていることを特徴とする請求項１に記載の植物の熱ショック処理装置。
【請求項３】
前記カバーは前記圃場に列状に生育する植物に沿って移動する手段を有することを特徴とする請求項１記載の植物の熱ショック処理装置。
【請求項４】
前記カバーの進行方向の前部及び後部は切込みを入れた軟質カバーが配置されていることを特徴とする請求項１記載の植物の熱ショック処理装置。
【請求項５】
前記移動は温湯発生装置の湯温が所定値内になったら開始することを特徴とする請求項３記載の植物の熱ショック処理装置。
【請求項６】
湯温の設定は植物に接して設置した温度センサーにより検出された温度と霧滴温度との
差が所定値内になるように湯温を制御することを特徴とする請求項１記載の植物の熱ショ
ック処理装置。
【請求項７】
外気から隔離されるようにカバーで覆われた植物に、与圧された温湯を噴霧することによって植物に熱ショックを与えることを特徴とする植物の熱ショック処理方法。
【手続補正２】
【補正対象書類名】明細書
【補正対象項目名】発明の名称
【補正方法】変更
【補正の内容】
【発明の名称】農業用植物の熱ショック処理装置及び熱ショック処理方法
【手続補正３】
【補正対象書類名】明細書
【補正対象項目名】０００７
【補正方法】変更
【補正の内容】
【０００７】
本発明は、このような従来の技術の構成が有していた問題を解決しようというものであ
り、植物生育地の温度環境条件に関係なく圃場に生育する植物に効率的に熱ショック処理
を実現するための熱ショック処理装置及び熱ショック処理方法を提供することを目的とするものである。
【手続補正４】
【補正対象書類名】明細書
【補正対象項目名】０００８
【補正方法】変更
【補正の内容】
【０００８】
そして、第１の課題解決手段は上記目的を達成するため、与圧された霧滴が蒸発し気化
熱を奪うことによって霧滴温度が低下することを防止するために外気から隔離するよう熱
ショック処理を行う植物を覆うカバーを設けると共に、カバーの内部に所定の温度に温度
制御された温湯の霧滴をカバー内部で浮遊するように温湯をカバー内部に噴霧する温湯の
噴霧口を設けた熱ショック処理装置である。
【手続補正５】
【補正対象書類名】明細書
【補正対象項目名】０００９
【補正方法】変更
【補正の内容】
【０００９】
また、第２の課題解決手段は、噴霧する温湯の温度や圧力を制御する温湯発生装置を備え、噴霧口から与圧された霧滴がカバー内部で浮遊させることにより植物のすみずみまで霧滴が付着し、低エネルギーロスで植物の温度を上昇させることを特徴とする。
【手続補正６】
【補正対象書類名】明細書
【補正対象項目名】００１０
【補正方法】変更
【補正の内容】
【００１０】
第３の解決手段は、カバーが圃場に列状に配置された生育する植物に沿って移動する手段を備え、低エネルギーロスで植物の温度を上昇させ、適切な熱ショック処理を行うことを特徴とする。
【手続補正７】
【補正対象書類名】明細書
【補正対象項目名】００１１
【補正方法】変更
【補正の内容】
【００１１】
第４の解決手段は、前記カバーの進行方向の前部及び後部は切込みを入れた軟質カバーが配置されていることによって、移動により植物を傷つけない構造であることを特徴とする。
【手続補正８】
【補正対象書類名】明細書
【補正対象項目名】００１２
【補正方法】変更
【補正の内容】
【００１２】
第５の解決手段は、前記移動は植物に接して設置した温度センサーにより温湯発生装置の湯温が所定値内になったら開始することを特徴とする。
【手続補正９】
【補正対象書類名】明細書
【補正対象項目名】００１３
【補正方法】変更
【補正の内容】
【００１３】
第６の解決手段は、噴霧口に供給する湯温の設定は植物に接して設置した温度センサー
により検出された温度と噴霧口に供給する湯温との差が所定値内になるように湯温を制御
することを特徴とする。
さらに、第７の解決手段は上記目的を達成するため、外気から隔離されるようにカバーで覆われた植物に、与圧された温湯を噴霧することによって植物に熱ショックを与えることを特徴とする植物の熱ショック処理方法である。
【手続補正１０】
【補正対象書類名】明細書
【補正対象項目名】００１４
【補正方法】変更
【補正の内容】
【００１４】
上述したように、本発明の熱ショック処理装置及び熱ショック処理方法は、圃場に生育する植物に対するカバーとこのカバー内部で霧滴が浮遊するように温湯を噴霧する噴霧手段を設けたので、周辺温度環境の影響を受けずエネルギーロスの少ない熱ショック処理装置及び熱ショック処理方法を提供することができた。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
複数のティースを有し、当該各ティースにインシュレータを介してコイルを集中巻してなる集中巻線ステータであって、
前記各ティースに巻線されたコイルは、前記ティースの内側方向に加圧されたのちにステータ半径方向に加圧されるか、あるいは前記ステータ半径方向に加圧されたのちに前記ティースの内側方向に加圧されることを特徴とする集中巻線ステータ。
【請求項２】
複数のティースにインシュレータを装着し、コイルを集中巻により巻線する巻線段階と、
前記各ティースに巻線されたコイルを、前記ティースの内側方向に加圧する第１加圧成形段階と、
前記各ティースに巻線されたコイルを、ステータ半径方向に加圧する第２加圧成形段階と、
を有することを特徴とする集中巻線ステータの製造方法。
【請求項３】
複数のティースにインシュレータを装着し、コイルを集中巻により巻線する巻線段階と、
前記各ティースに巻線されたコイルを、前記ティースの内側方向に加圧したのち、ステータ半径方向に加圧する加圧成形段階と、
を有することを特徴とする集中巻線ステータの製造方法。
【請求項４】
複数のティースにインシュレータを装着し、コイルを集中巻により巻線する巻線段階と、
前記各ティースに巻線されたコイルを、ステータ半径方向に加圧したのち、前記ティースの内側方向に加圧する加圧成形段階と、
を有することを特徴とする集中巻線ステータの製造方法。
【請求項５】
複数のティースにインシュレータを装着し、コイルを集中巻により巻線する巻線段階と、
前記各ティースに巻線されたコイルを、前記ティースの内側方向またはステータ半径方向に交互に加圧する加圧成形段階と、
を有することを特徴とする集中巻線ステータの製造方法。
【請求項６】
前記第１または第２加圧成形段階において、
前記コイルを成形するためのコイル成形治具を用いて、前記コイルを加圧成形することを特徴とする請求項２に記載の集中巻線ステータの製造方法。
【請求項７】
前記コイル成形治具は、前記コイルを加圧する面の形状が、前記コイルの表面の形状に倣って変形する変形機構を有し、
前記第１または第２加圧成形段階において、
前記コイルの表面の形状に倣って変形した前記コイル成形治具によって、前記コイルを加圧成形することを特徴とする請求項６に記載の集中巻線ステータの製造方法。
【請求項８】
前記コイル成形治具は、前記コイルを前記ステータ半径方向に加圧するための突起部を有し、
前記第２加圧成形段階において、
前記突起部を前記コイルの先端に当てて、前記各ティースに巻線されたコイルを、前記ステータ半径方向に加圧することを特徴とする請求項２に記載の集中巻線ステータの製造方法。
【請求項９】
さらに、前記巻線段階の後に、前記巻線されたコイルを加熱する段階を有することを特徴とする請求項２に記載の集中巻線ステータの製造方法。
【手続補正２】
【補正対象書類名】明細書
【補正対象項目名】０００８
【補正方法】変更
【補正の内容】
【０００８】
本発明の集中巻線ステータは、各ティースにインシュレータを介して巻線されたコイルは、前記ティースの内側方向に加圧されたのちにステータ半径方向に加圧されるか、あるいは前記ステータ半径方向に加圧されたのちに前記ティースの内側方向に加圧されることを特徴とする。
【手続補正３】
【補正対象書類名】明細書
【補正対象項目名】０００９
【補正方法】変更
【補正の内容】
【０００９】
本発明の集中巻線ステータの製造方法は、各ティースに巻線されたコイルを集中巻により巻線する巻線段階と、前記各ティースに巻線されたコイルを、前記ティースの内側方向に加圧する第１加圧成形段階と、前記各ティースに巻線されたコイルを、ステータ半径方向に加圧する第２加圧成形段階と、を有することを特徴とする。
【手続補正４】
【補正対象書類名】明細書
【補正対象項目名】００１０
【補正方法】変更
【補正の内容】
【００１０】
本発明によれば、巻線されたコイルをティースの内側方向およびステータ半径方向に加圧成形することで、コイル占積率の向上およびコイルの抜熱性向上を図ることができる。
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
複数のパラメータにそれぞれ設定された値に基づいて生成された駆動電圧により駆動される複数の振動子および前記振動子のそれぞれにより多方向へ移動可能なように前記振動子のそれぞれと接触される移動体とを備える多自由度駆動装置であって、
前記移動体の移動方向および該移動方向への移動量を検出する検出手段と、
前記振動子のそれぞれが対応する駆動電圧で駆動された際の前記検出手段により検出された前記移動体の移動方向および移動量に基づいて、前記振動子のそれぞれの出力特性が一致しているか否かを判別する判別手段と、
前記判別手段により前記振動子のそれぞれの出力特性が一致していないと判別された場合、前記振動子のそれぞれの出力特性が一致するように、少なくとも１つの振動子に対する複数のパラメータのうち、対応するパラメータに設定された値を変更する変更手段と
を備えることを特徴とする多自由度駆動装置。
【請求項２】
前記変更手段により前記設定された値が変更されるパラメータは、前記駆動電圧の周波数を規定するための値が設定されるパラメータおよび前記駆動電圧の電圧値を規定するための値が設定されるパラメータのいずれか一方のパラメータであることを特徴とする請求項１に記載の多自由度駆動装置。
【請求項３】
複数のパラメータにそれぞれ設定された値に基づいて生成された駆動電圧により駆動される複数の振動子および前記振動子のそれぞれにより多方向へ移動可能なように前記振動子のそれぞれと接触される移動体を備え、前記複数のパラメータは、対応する振動子の駆動に応じて可変される値が設定される第１のパラメータと該第１のパラメータと異なる第２のパラメータとを含む多自由度駆動装置であって、
前記振動子のそれぞれが対応する駆動電圧で駆動された際の前記振動子のそれぞれに対する前記１つのパラメータの前記可変された値に基づいて、前記振動子のそれぞれの出力特性が一致しているか否かを判別する判別手段と、
前記判別手段により前記振動子のそれぞれの出力特性が一致していないと判別された場合、前記駆動された振動子のそれぞれの出力特性が一致するように、少なくとも１つの振動子に対する複数のパラメータに含まれる前記第２のパラメータに設定された値を変更する変更手段と
を備えることを特徴とする多自由度駆動装置。
【請求項４】
前記第１のパラメータは、前記駆動電圧のＡ相およびＢ相間の位相差を規定するための値が設定されるパラメータであり、前記第２のパラメータは、前記駆動電圧の周波数を規定するための値が設定されるパラメータおよび前記駆動電圧の電圧値を規定する値が設定されるパラメータのいずれか一方のパラメータであることを特徴とする請求項３に記載の多自由度駆動装置。
【請求項５】
請求項１ないし請求項４のいずれか１項に記載の多自由度駆動装置を備える撮像装置であって、
前記移動体に撮像素子が搭載されていることを特徴とする撮像装置。
【手続補正２】
【補正対象書類名】明細書
【補正対象項目名】０００８
【補正方法】変更
【補正の内容】
【０００８】
本発明の目的は、装置に組み込まれた状態で各振動子の出力特性を一致させることができる多自由度駆動装置および撮像装置を提供することにある。
【手続補正３】
【補正対象書類名】明細書
【補正対象項目名】０００９
【補正方法】変更
【補正の内容】
【０００９】
本発明は、上記目的を達成するため、複数のパラメータにそれぞれ設定された値に基づいて生成された駆動電圧により駆動される複数の振動子および前記振動子のそれぞれにより多方向へ移動可能なように前記振動子のそれぞれと接触される移動体とを備える多自由度駆動装置であって、前記移動体の移動方向および該移動方向への移動量を検出する検出手段と、前記振動子のそれぞれが対応する駆動電圧で駆動された際の前記検出手段により検出された前記移動体の移動方向および移動量に基づいて、前記振動子のそれぞれの出力特性が一致しているか否かを判別する判別手段と、前記判別手段により前記振動子のそれぞれの出力特性が一致していないと判別された場合、前記振動子のそれぞれの出力特性が一致するように、少なくとも１つの振動子に対する複数のパラメータのうち、対応するパラメータに設定された値を変更する変更手段とを備えることを特徴とする多自由度駆動装置を提供する。
【手続補正４】
【補正対象書類名】明細書
【補正対象項目名】００１０
【補正方法】変更
【補正の内容】
【００１０】
本発明は、上記目的を達成するため、複数のパラメータにそれぞれ設定された値に基づいて生成された駆動電圧により駆動される複数の振動子および前記振動子のそれぞれにより多方向へ移動可能なように前記振動子のそれぞれと接触される移動体を備え、前記複数のパラメータは、対応する振動子の駆動に応じて可変される値が設定される第１のパラメータと該第１のパラメータと異なる第２のパラメータとを含む多自由度駆動装置であって、前記振動子のそれぞれが対応する駆動電圧で駆動された際の前記振動子のそれぞれに対する前記１つのパラメータの前記可変された値に基づいて、前記振動子のそれぞれの出力特性が一致しているか否かを判別する判別手段と、前記判別手段により前記振動子のそれぞれの出力特性が一致していないと判別された場合、前記駆動された振動子のそれぞれの出力特性が一致するように、少なくとも１つの振動子に対する複数のパラメータに含まれる前記第２のパラメータに設定された値を変更する変更手段とを備えることを特徴とする多自由度駆動装置を提供する。
【手続補正５】
【補正対象書類名】明細書
【補正対象項目名】００１２
【補正方法】変更
【補正の内容】
【００１２】
本発明によれば、装置に組み込まれた状態で各振動子の出力特性を一致させることができる。
【手続補正６】
【補正対象書類名】明細書
【補正対象項目名】００２８
【補正方法】変更
【補正の内容】
【００２８】
駆動部５１は、電源回路５９、発振器５２、３つの駆動パルス発生器５３〜５５および３つのスイッチング回路５６〜５８を有する。電源回路５９は、入力された電源（図示せず）から、上記制御信号Ｓ１４〜Ｓ１５に含まれる上記パラメータγ１１〜γ１３のそれぞれの値が規定する電圧値を有する直流電圧Ｖｃ１１〜Ｖｃ１３をそれぞれ発生する。各直流電圧Ｖｃ１１〜Ｖｃ１３は、スイッチング回路５６〜５８に供給される。
【手続補正７】
【補正対象書類名】明細書
【補正対象項目名】００４７
【補正方法】変更
【補正の内容】
【００４７】
移動体１０をＸ方向へ直進移動させる場合、各振動子１１〜１３がそれぞれ対応する制御信号Ｓ１１〜Ｓ１３に基づいて駆動される。ここでは、ベース板９が水平面上に置かれ、移動体１０には、重力が鉛直方向に作用するとする。この場合、図７（ａ）に示すように、各振動子１１〜１３には、駆動力（ベクトルＭ１１〜Ｍ１３）が発生し、それぞれの駆動力により、移動体１０が移動される。このとき、図７（ｂ）に示すように、振動子１２の駆動力（ベクトルＭ１２）と振動子１３の駆動力（ベクトルＭ１３）は、合成されて駆動力（ベクトルＭｓ）となる。この合成した駆動力（ベクトルＭｓ）は、振動子１１の駆動力（ベクトルＭ１）と一致する必要がある。
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
撮像手段と、
少なくとも静止画記録モードと動画記録モードのいずれかに切り替え可能な切替手段と、
前記撮像手段での撮影指示を受け付けるシャッタ操作部材と、
前記撮像手段で撮像された動画像とは異なる外部動画を取得可能な取得手段と、
前記外部動画を表示手段に表示するように制御する表示制御手段と、
前記表示制御手段により前記表示手段に前記外部動画を表示した状態で、かつ、前記切替手段により前記静止画記録モードに切り替えられている場合に前記シャッタ操作部材で前記撮影指示を受け付けると、前記外部動画を静止画として記録するように制御し、
前記表示制御手段により前記表示手段に前記外部動画を表示した状態で、かつ、前記切替手段により動画記録モードに切り替えられている場合に前記シャッタ操作部材で前記撮影指示を受け付けると、前記外部動画を動画像として記録するように制御する記録制御手段と
を有することを特徴とする撮像装置。
【請求項２】
動画像放送を受信可能なチューナーと接続可能なコネクタ手段を更に有し、
前記取得手段は、前記コネクタ手段を介して前記動画像放送を前記外部動画として取得することを特徴とする請求項１に記載の撮像装置。
【請求項３】
前記コネクタ手段に前記チューナーが接続されているか否かを判定する判定手段を更に有し、
前記表示制御手段は、前記判定手段で前記チューナーが接続されていると判定すると前記動画像放送を前記表示手段に表示するように制御することを特徴とする請求項２に記載の撮像装置。
【請求項４】
前記記録制御手段は、前記取得手段で前記外部動画を取得していない場合で、かつ、前記切替手段にて前記静止画記録モードに切り替えられている場合に前記シャッタ操作部材で前記撮影指示を受け付けると、前記撮像手段で撮像された画像を静止画として記録するように制御し、
前記取得手段で前記外部動画を取得していない場合で、かつ、前記切替手段にて動画記録モードに切り替えられている場合に前記シャッタ操作部材で前記撮影指示を受け付けると、前記撮像手段で撮像された画像を動画として記録するように制御することを特徴とする請求項１乃至３のいずれか１項に記載の撮像装置。
【請求項５】
前記コネクタ手段は、前記撮像手段で撮像された静止画あるいは前記撮像手段で撮像された動画を記録可能な着脱可能記録媒体とも接続可能であることを特徴とする請求項２または３に記載の撮像装置。
【請求項６】
前記記録制御手段は、前記動画像放送を記録した静止画あるいは動画を、前記着脱可能記録媒体とは異なる記録媒体に記録するように制御することを特徴とする請求項５に記載の撮像装置。
【請求項７】
前記記録制御手段は、前記動画像放送を記録した静止画あるいは動画を、前記コネクタ手段と接続され、前記チューナーを格納したチューナーカードが備える記録媒体に記録するように制御することを特徴とする請求項５に記載の撮像装置。
【請求項８】
前記切替手段は、ユーザの操作に応じて位置を変更でき、変更された位置に応じてモードを切り換えるモード切替操作部材であることを特徴とする請求項１乃至７のいずれか１項に記載の撮像装置。
【請求項９】
撮像手段と、少なくとも静止画記録モードと動画記録モードのいずれかに切り替え可能な切替手段と、前記撮像手段での撮影指示を受け付けるシャッタ操作部材と、前記撮像手段で撮像された動画像とは異なる外部動画を取得可能な取得手段とを有する撮像装置の制御方法であって、
前記外部動画を表示手段に表示するように制御する表示制御ステップと、
前記表示制御ステップにて前記表示手段に前記外部動画を表示した状態で、かつ、前記切替手段により前記静止画記録モードに切り替えられている場合に前記シャッタ操作部材で前記撮影指示を受け付けると、前記外部動画を静止画として記録するように制御し、
前記表示制御ステップにて前記表示手段に前記外部動画を表示した状態で、かつ、前記切替手段により動画記録モードに切り替えられている場合に前記シャッタ操作部材で前記撮影指示を受け付けると、前記外部動画を動画像として記録するように制御する記録制御ステップと
を有することを特徴とする撮像装置の制御方法。
【請求項１０】
コンピュータを、請求項１乃至８のいずれか１項に記載された撮像装置の各手段として機能させるプログラム。
【請求項１１】
コンピュータを、請求項１乃至８のいずれか１項に記載された撮像装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像装置及びその制御方法、プログラム、並びに記憶媒体
【手続補正３】
【補正対象書類名】明細書
【補正対象項目名】０００１
【補正方法】変更
【補正の内容】
【０００１】
本発明は、撮像素子、液晶パネル、記録媒体とのコネクタ部を備えたデジタルスチルカメラ（以下、「デジカメ」）等の撮像装置及びその制御方法、プログラム、並びに記憶媒体に関する。詳しくは、コネクタ部にチューナーカードを差し込み、動画像放送を視聴可能な撮像装置及びその制御方法、プログラム、並びに記憶媒体に関するものである。
【手続補正４】
【補正対象書類名】明細書
【補正対象項目名】０００７
【補正方法】変更
【補正の内容】
【０００７】
本発明の目的は、視聴中の動画像を記録することが可能で、かつ記録した画像を保存可能な撮像装置及び制御方法、プログラム、並びに記憶媒体を提供することにある。
【手続補正５】
【補正対象書類名】明細書
【補正対象項目名】０００８
【補正方法】変更
【補正の内容】
【０００８】
上記目的を達成するために、本発明の撮像装置は、撮像手段と、少なくとも静止画記録モードと動画記録モードのいずれかに切り替え可能な切替手段と、前記撮像手段での撮影指示を受け付けるシャッタ操作部材と、前記撮像手段で撮像された動画像とは異なる外部動画を取得可能な取得手段と、前記外部動画を表示手段に表示するように制御する表示制御手段と、前記表示制御手段により前記表示手段に前記外部動画を表示した状態で、かつ、前記切替手段により前記静止画記録モードに切り替えられている場合に前記シャッタ操作部材で前記撮影指示を受け付けると、前記外部動画を静止画として記録するように制御し、前記表示制御手段により前記表示手段に前記外部動画を表示した状態で、かつ、前記切替手段により動画記録モードに切り替えられている場合に前記シャッタ操作部材で前記撮影指示を受け付けると、前記外部動画を動画像として記録するように制御する記録制御手段とを有することを特徴とする。
【手続補正６】
【補正対象書類名】明細書
【補正対象項目名】０００９
【補正方法】変更
【補正の内容】
【０００９】
本発明の撮像装置によれば、視聴中の動画像を静止画で記録するか、動画で記録するかを直感的に操作することが可能となる。